(57)【要約】【課題】  印字ユニットおよび、同ユニットを支持する印字ケースが下降移動するタイミングを常に一定にして、常に均一な捺印結果を発揮できる印判を提供する。【解決手段】  内ケース１と、外ケース２と、印字ユニット３を支持する印字ケース４と、インク塗付ユニット５を備えている。印字ケース４は内ケース１で第１ばね４１ａを介して支持され、外ケース２は印字ケース４で第２ばね４２ａを介して支持されている。インク塗付ユニット５は、内ケース１で上下スライド可能に、かつ前後揺動自在に支持されている。インク塗付ユニット５と外ケース２の間に、インク塗付ユニット５を下降操作し、さらに揺動操作する姿勢変位機構を設ける。第１ばね４１ａの弾性力は、第２ばね４２ａの弾性力より大きく設定されている。インク塗付ユニット５が外ケース２で分離位置まで下降操作される間、印字ケース４と印字ユニット３を第１ばね４１ａで下降移動不能に支持する。【選択図】図１
2020192736.tif 000002
【特許請求の範囲】
【請求項１】
下端が捺印紙面に接する筒状の内ケース（１）と、
内ケース（１）の外方に配置されて、該内ケース（１）に対して上下スライド可能に構成された外ケース（２）と、
内ケース（１）の内方に配置されて、該内ケース（１）に対して上下スライド可能に構成された印字ケース（４）と、
印字ケース（４）に支持された印字ユニット（３）と、
内ケース（１）に対して上下スライド可能に、かつ前後揺動自在に支持されており、印字ユニット（３）の印字面にインクを塗付するインク塗付ユニット（５）と、
内ケース（１）と印字ケース（４）の間に配置されて、印字ケース（４）を上方に押し上げる弾性力を発揮する第１弾性体（４１）と、
印字ケース（４）と外ケース（２）の間に配置されて、外ケース（２）を上方に押し上げる弾性力を発揮する第２弾性体（４２）と、
外ケース（２）の下降動作に連動して、インク塗付ユニット（５）を、印字ユニット（３）の印字面にインクを塗付するインク塗付姿勢から当該印字面から離れる分離位置まで下降操作し、さらに、印字ユニット（３）の下降領域の外に退避する退避姿勢に揺動操作する姿勢変位機構と、
を備え、
外ケース（２）は、上方側の捺印待機位置と、下方側の捺印位置との間で印字ケース（４）に対して上下スライド可能に構成され、常態においては第２弾性体（４２）の弾性力により捺印待機位置に位置保持されており、
第１弾性体（４１）の弾性力は、第２弾性体（４２）の弾性力より大きく設定されており、
外ケース（２）が第２弾性体（４２）の弾性力に抗して下降操作されて、インク塗付ユニット（５）が分離位置まで下降移動する間、印字ケース（４）および印字ユニット（３）が第１弾性体（４１）の弾性力により下降移動不能に受止め支持されるように構成されていることを特徴とする印判。
【請求項２】
外ケース（２）が第２弾性体（４２）の弾性力に抗して下降操作されて、インク塗付ユニット（５）が外ケース（２）に同行して分離位置まで下降移動した状態において、外ケース（２）が印字ケース（４）に接当して、同ケース（４）および印字ユニット（３）を捺印位置に向って下降移動させ、同時に姿勢変位機構がインク塗付ユニット（５）を退避位置に向って揺動操作するように構成されている請求項１に記載の印判。
【請求項３】
第１弾性体（４１）は、２本の圧縮コイル形の第１ばね（４１ａ・４１ａ）からなり、
第２弾性体（４２）は、１本の圧縮コイル形の第２ばね（４２ａ）からなり、
第１ばね（４１ａ・４１ａ）のそれぞれは、印字ケース（４）の周面２個所に設けたばね受枠（３６）に収容されており、各第１ばね（４１ａ・４１ａ）は、ばね受枠（３６）の上部に形成された上ばね受座（４４）と、内ケース（１）の内面に形成された下ばね受座（４３）との間に配置されており、
第２ばね（４２ａ）は、印字ケース（４）の上壁と外ケース（２）の天壁（１６）との間に配置されており、
ばね受枠（３６）は、下ばね受座（４３）に対して上下スライド自在に外嵌装着されており、
ばね受枠（３６）の下部に設けたストッパー片（４５）を下ばね受座（４３）で受止めて、印字ケース（４）が第１ばね（４１ａ）の弾性力に抗して捺印待機姿勢に保持されるように構成されている請求項１、または２に記載の印判。
【請求項４】
インク塗付ユニット（５）が、インクパッド（５２）を収容するパッドホルダー（５１）と、内ケース（１）のガイド枠（１０）で上下スライド自在に案内されるスライドピース（５４）とを備えており、
パッドホルダー（５１）は左右一対の支持腕（５３）を備えており、同腕（５３）に設けた揺動軸（５５）が、内ケース（１）に設けたパッド支持枠（９）のガイド溝（１１）で昇降移動可能に、かつ揺動可能に案内支持されており、
パッドホルダー（５１）とスライドピース（５４）は、連結ピン（５９）を介して相対回動可能に、かつ同行して昇降移動可能に連結されており、
パッドホルダー（５１）とスライドピース（５４）が分離位置まで下降操作された状態において、パッドホルダー（５１）が姿勢変位機構で連結ピン（５９）の回りに揺動操作されて、分離位置から退避姿勢に切換る請求項１から３のいずれかひとつに記載の印判。
【請求項５】
姿勢変位機構が、左右の支持腕（５３）に設けた受動カム片（５６）と、外ケース（２）の前壁下部に設けられて受動カム片（５６）を下降操作し、かつ受動カム片（５６）を連結ピン（５９）の周りに回動操作する駆動カム片（６６）と、退避姿勢に切換ったパッドホルダー（５１）の支持腕（５３）を復帰回動不能に支持する保持壁（６７）とを備えている請求項１から４のいずれかひとつに記載の印判。
【発明の詳細な説明】
【技術分野】
【０００１】
本発明は、捺印動作に連動してインク塗付ユニットを印字ユニットの下降領域の外へ退避揺動させる印判に関する。
【背景技術】
【０００２】
本発明の印判は、捺印動作が開始されると、まずインク塗付ユニットが下向きに移動してインクパッドを印字ユニットの印字面から分離させて、インクパッドが印字ユニットの印字面と擦れあうのを防止するが、この種の印判は例えば特許文献１の印鑑ホルダーに公知である。
【０００３】
特許文献１の印鑑ホルダーは、捺印紙面上に載置される下ケースと、下ケースで上下スライド自在に支持される上ケースと、印鑑が装着される内筒と、朱肉皿と、同皿を揺動操作する姿勢変位機構などで構成される。内筒は下ケースで支持されて上ケースに同行して昇降移動でき、下ケースと内筒の間に配置したばねで押上げ付勢されている。朱肉皿は、朱肉容器と、同容器に装着される朱肉（インクパッド）と、朱肉容器に固定される逆門型の回転体とを備えており、回転体を構成する回転腕（揺動腕）の上端に突起（カムピン）が固定されている。回転腕には上下に長いガイド穴が形成されており、このガイド穴を下ケースの内面に固定した突起（揺動軸）で支持することにより、回転腕および朱肉容器を内筒に対して上下スライド可能にかつ、前後揺動可能に支持している。姿勢変位機構は、下ケースおよび上ケースに形成したカム孔と、両カム孔と同時に係合する先の回転腕の突起（カムピン）で構成される。下ケースのカム孔は縦孔部とカーブ孔部を備えており、上ケースのカム孔は縦孔部と斜孔部とを備えている。
【０００４】
特許文献１の印鑑ホルダーは、下ケースの下面を捺印紙面上に載置し、上ケースをばねの押上力に抗して押下げ操作することにより、印鑑および内筒を下降移動させて捺印できる。より詳しくは、上ケースを押下げ操作し始めるとばねの上端が押下げられ、その力は内筒にも作用する。しかし、内筒は下ケースに装着した内筒係止体で挟持保持されているので下降することはなく、回転腕の突起が上ケースのカム孔に押されて、回転腕および朱肉皿のみが下降移動し、朱肉が印面から分離する。このとき、回転腕のガイド穴が下ケースの突起に対して相対スライドする。上ケースが所定長さ下降移動すると、上ケースの上壁が内筒の上端に接当するので、以後は印鑑および内筒が上ケースに同行して下降し、印面を紙面に密着させて捺印することができる。この捺印動作に連動する状態で、回転腕の突起が、下ケースおよび上ケースに設けたカム孔で回動操作されるので、回転腕および朱肉容器は突起（揺動軸）を中心にして跳ね上げ揺動されて、朱肉皿を退避姿勢に切換える。上ケースの押下げ力を解放すると、印鑑および内筒と上ケースがばねで上昇操作されて、捺印待機状態に復帰する。また、回転腕および朱肉容器は、朱肉が印面に密着する塗付姿勢に復帰する。特許文献２にも、上記と同様の印鑑ホルダーが開示されている。
【先行技術文献】
【特許文献】
【０００５】
【特許文献１】特開２００２−５２７９５号公報
【特許文献２】特開２００３−２００６４４号公報
【発明の概要】
【発明が解決しようとする課題】
【０００６】
特許文献１、２の印鑑ホルダーによれば、捺印時以外には印鑑の印面に朱肉が密着しているので、単に上ケースをばねの押上力に抗して押下げ操作するだけで、繰返し捺印することができる。しかし、上ケースがばねに抗して押下げ操作されるとき、下ケースに装着した一対の内筒係止体で内筒を挟持保持して、内筒が上ケースに同行して下降移動するのを阻止するので、内筒係止体のばね力の僅かなばらつきによって、内筒が下降移動するタイミングにずれを生じやすい。具体的には、内筒係止体のばね力が適正である場合には、正しいタイミングで印鑑および内筒を下降移動させることができるが、内筒係止体のばね力が弱めであると、印鑑および内筒が設定されたタイミングより早めに下降移動してしまう。逆に内筒係止体のばね力が強めであると、印鑑および内筒が設定されたタイミングより遅れて下降移動する。さらに、内筒係止体のばね力は、使用期間が長引くのに伴って低下する傾向にある。その結果、個々の印鑑ホルダーにおける印鑑の捺印圧力がばらつきやすく、均一な捺印結果が得られにくい。また、回転腕の突起を回動操作するためのＪ字状のカム孔が最外面の上ケースに形成してあるので、突起とカム孔が上ケースの表面に露出するのを避けられず、印鑑ホルダーの外観の印象が損なわれやすい。
【０００７】
本発明は、印字ユニットおよび、同ユニットを支持する印字ケースが下降移動するタイミングを常に一定にでき、しかもばね力の計時変化に伴うタイミングのずれを解消して、常に均一な捺印結果を発揮できる印判を提供することにある。
【課題を解決するための手段】
【０００８】
本発明に係る印判は、下端が捺印紙面に接する筒状の内ケース１と、内ケース１の外方に配置されて、該内ケース１に対して上下スライド可能に構成された外ケース２と、内ケース１の内方に配置されて、該内ケース１に対して上下スライド可能に構成された印字ケース４と、印字ケース４に支持された印字ユニット３と、内ケース１に対して上下スライド可能に、かつ前後揺動自在に支持されており、印字ユニット３の印字面にインクを塗付するインク塗付ユニット５と、内ケース１と印字ケース４の間に配置されて、印字ケース４を上方に押し上げる弾性力を発揮する第１弾性体４１と、印字ケース４と外ケース２の間に配置されて、外ケース２を上方に押し上げる弾性力を発揮する第２弾性体４２と、外ケース２の下降動作に連動して、インク塗付ユニット５を、印字ユニット３の印字面にインクを塗付するインク塗付姿勢から当該印字面から離れる分離位置まで下降操作し、さらに、印字ユニット３の下降領域の外に退避する退避姿勢に揺動操作する姿勢変位機構と、を備える。外ケース２は、上方側の捺印待機位置と、下方側の捺印位置との間で印字ケース４に対して上下スライド可能に構成され、常態においては第２弾性体４２の弾性力により捺印待機位置に位置保持されている。第１弾性体４１の弾性力は、第２弾性体４２の弾性力より大きく設定されている。そして、外ケース２が第２弾性体４２の弾性力に抗して下降操作されて、インク塗付ユニット５が分離位置まで下降移動する間、印字ケース４および印字ユニット３が第１弾性体４１の弾性力により下降移動不能に受止め支持されるように構成されていることを特徴とする。
【０００９】
外ケース２が第２弾性体４２の弾性力に抗して下降操作されて、インク塗付ユニット５が外ケース２に同行して分離位置まで下降移動した状態において、外ケース２が印字ケース４に接当して、同ケース４および印字ユニット３を捺印姿勢に向って下降移動させ、同時に姿勢変位機構がインク塗付ユニット５を退避姿勢に向って揺動操作するように構成されている。
【００１０】
第１弾性体４１は、２本の圧縮コイル形の第１ばね４１ａ・４１ａからなり、第２弾性体４２は、１本の圧縮コイル形の第２ばね４２ａからなる。第１ばね４１ａ・４１ａのそれぞれは、印字ケース４の周面２個所に設けたばね受枠３６に収容されており、各第１ばね４１ａ・４１ａは、ばね受枠３６の上部に形成された上ばね受座４４と、内ケース１の内面に形成された下ばね受座４３との間に配置されている。第２ばね４２ａは、印字ケース４の上壁と外ケース２の天壁１６との間に配置されている。ばね受枠３６は、下ばね受座４３に対して上下スライド自在に外嵌装着されている。ばね受枠３６の下部に設けたストッパー片４５を下ばね受座４３で受止めて、印字ケース４が第１ばね４１ａの弾性力に抗して捺印待機姿勢に保持されるように構成されている。
【００１１】
インク塗付ユニット５は、インクパッド５２を収容するパッドホルダー５１と、内ケース１のガイド枠１０で上下スライド自在に案内されるスライドピース５４を備えている。パッドホルダー５１は左右一対の支持腕５３を備えていて、同腕５３に設けた揺動軸５５が、内ケース１に設けたパッド支持枠９のガイド溝１１で昇降移動可能に、かつ揺動可能に案内支持されている。パッドホルダー５１とスライドピース５４は、連結ピン５９を介して相対回動可能に、かつ同行して昇降移動可能に連結されている。パッドホルダー５１とスライドピース５４が分離位置まで下降操作された状態において、パッドホルダー５１が姿勢変位機構で連結ピン５９の回りに揺動操作されて、分離位置から退避姿勢に切換る。
【００１２】
姿勢変位機構は、左右の支持腕５３に設けた受動カム片５６と、外ケース２の前壁下部に設けられて受動カム片５６を下降操作し、かつ受動カム片５６を連結ピン５９の周りに回動操作する駆動カム片６６と、退避姿勢に切換ったパッドホルダー５１の支持腕５３を復帰回動不能に支持する保持壁６７とを備えている。
【発明の効果】
【００１３】
本発明に係る印判においては、内ケース１と印字ケース４の間に配置されて、印字ケース４を上方に押し上げる第１弾性体４１の弾性力を、印字ケース４と外ケース２の間に配置されて、外ケース２を上方に押し上げる第２弾性体４２の弾性力よりも大きくして、外ケース２が下降操作されてインク塗付ユニット５が分離位置まで下降移動する間、印字ケース４および印字ユニット３を第１弾性体４１で下降移動不能に受止め支持するようにした。こうした印判によれば、インク塗付ユニット５が分離位置まで下降移動したのちに、印字ユニット３および印字ケース４を外ケース２に同行して下降移動させることができるので、印字ユニット３および印字ケース４が下降移動するタイミングを常に一定にすることができる。また、印字ケース４および印字ユニット３が分離位置から下降移動するのと同時に、姿勢変位機構がインク塗付ユニット５を退避姿勢に向って確動的に揺動操作するので、インク塗付ユニット５を適切なタイミングで確実に退避揺動させることができる。
【００１４】
インク塗付ユニット５が外ケース２に同行して分離位置まで下降移動した状態において、外ケース２が印字ケース４に接当して、同ケース４および印字ユニット３を捺印姿勢に向って下降移動させるので、印字ユニット３および印字ケース４が下降移動するタイミングを常に一定にすることができる。また、印字ケース４および印字ユニット３が分離位置から下降移動するのと同時に、姿勢変位機構がインク塗付ユニット５を退避姿勢に向って確動的に揺動操作するので、インク塗付ユニット５を適切なタイミングで確実に退避揺動させることができる。
【００１５】
第１弾性体４１および第２弾性体４２を、それぞれ圧縮コイル形のばね４１ａ・４１ａ・４２ａで形成するので、従来の板ばねからなる内筒係止体に比べて、設定された弾性力が長期に亘って安定した状態で発揮され、さらに各ばね４１ａ・４１ａ・４２ａの弾性力のばらつきも小さくすることができる。また、第１ばね４１ａ・４１ａを印字ケース４に設けたばね受枠３６に収容し、同枠３６の上ばね受座４４と、内ケース１に設けた下ばね受座４３との間に配置するようにし、ばね受枠３６は下ばね受座４３に対して上下スライド自在に外嵌装着されていて、ばね受枠３６の下部に設けたストッパー片４５を下ばね受座４３で受止めて、印字ケース４が第１ばね４１ａの弾性力に抗して捺印待機姿勢に保持できるようにしたので、第１ばね４１ａを組付けるのに連動して、ストッパー片４５を下ばね受座４３に係合装着することが可能となり、印字ケース４および第１ばね４１ａの内ケース１に対する組立ての手間を軽減することができる。また、常にばね受枠３６が下ばね受座４３と係合する状態で印字ケース４を上下スライドできるので、印字ケース４が前後左右に揺れ動くのを規制して、印字ユニット３による捺印を的確に行うことができる。
【００１６】
インク塗付ユニット５を、インクパッド５２を収容するパッドホルダー５１と、左右一対の支持腕５３と、スライドピース５４を備えるものとし、パッドホルダー５１とスライドピース５４を、支持腕５３で支持される連結ピン５９を介して相対回動可能に、かつ同行して昇降移動可能に連結するようにした。さらに、支持腕５３の外側面に設けた揺動軸５５を、内ケース１に設けたパッド支持枠９のガイド溝１１で案内支持するようにした。こうした印判によれば、パッドホルダー５１とスライドピース５４を姿勢変位機構で捺印待機姿勢から分離位置まで下降操作したのち、パッドホルダー５１を姿勢変位機構で連結ピン５９の回りに揺動操作して、分離位置から退避姿勢に切換えることができる。
【００１７】
上記のように、パッドホルダー５１が揺動変位する状態では、スライドピース５４は分離位置を保持して連結ピン５９を支持しており、さらに揺動軸５５がガイド溝１１に沿って連結ピン５９の回りに揺動するので、パッドホルダー５１を常に安定した状態で揺動変位させることができる。また、スライドピース５４は塗付姿勢と分離位置の間を昇降移動するだけであるので、パッドホルダー５１が退避姿勢に向って揺動し始めるときの連結ピン５９の位置に狂いがなく、常に一定の軌跡でパッドホルダー５１を揺動変位させることができる。
【００１８】
姿勢変位機構は、支持腕５３に設けた受動カム片５６と、外ケース２に設けた駆動カム片６６および保持壁６７を備えるようにした。こうした姿勢変位機構によれば、外ケース２が下降操作されるとき、受動カム片５６を駆動カム片６６で下降操作したのち、同カム片５６を駆動カム片６６で回動操作して、退避姿勢に切換ったパッドホルダー５１の支持腕５３を保持壁６７で復帰回動不能に支持できる。そのため、パッドホルダー５１が退避姿勢に切換ってから、印字ユニット３が捺印紙面に押圧されるまでの間、パッドホルダー５１がぐら付くことがなく、印字ユニット３による捺印を的確に行うことができる。
【図面の簡単な説明】
【００１９】
【図１】本発明の実施形態に係る印判の要部の縦断側面図である。
【図２】本発明の実施形態に係る印判の斜視図である。
【図３】本発明の実施形態に係る印判の縦断側面図である。
【図４】要部の縦断側面図であり、インク塗付ユニットが印面に密着している状態を示している。
【図５】内ケースおよびインク塗付ユニットの分解斜視図である。
【図６】印字ユニットおよび印字ケースの分解斜視図である。
【図７】日付印からなる印判の分解斜視図である。
【図８】日付印からなる印判の縦断正面図である。
【図９】図８におけるＡ−Ａ線断面図である。
【図１０】高さ調整機構の分解斜視図である。
【図１１】高さ調整機構を示す縦断正面図である。
【図１２】日付調整可能な状態に切換えた印判の縦断側面図である。
【図１３】捺印ロック構造を示す縦断正面図である。
【図１４】（ａ）〜（ｅ）は、姿勢変位機構による揺動動作を示す動作説明図である。
【発明を実施するための形態】
【００２０】
図１から図１４に、本発明に係る印判を日付印に適用した実施形態を示す。本発明における前後、左右、上下とは、図２に示す交差矢印と、矢印の近傍の前後、左右、上下の表記に従う。図２ないし図７において日付印は、下端が捺印紙面に接する内ケース１と、内ケース１の外方に配置されて、内ケース１に対して上下スライド可能に構成された外ケース２と、内ケース１の内方に配置されて、内ケース１に対して上下スライド可能に構成された印字ケース４と、印字ケース４に支持された印字ユニット３と、印字ユニット３の印字面にインクを塗付するインク塗付ユニット５と、内ケース１と印字ケース４の間に配置されて、印字ケース４を上方に押し上げる弾性力を発揮する第１弾性体４１と、印字ケース４と外ケース２の間に配置されて、外ケース２を上方に押し上げる弾性力を発揮する第２弾性体４２などを備えている。また、日付印は印字ユニット３の印面高さを調整する高さ調整機構と、インク塗付ユニット５を分離位置まで下降操作し、さらに分離位置と退避姿勢の間で揺動操作する姿勢変位機構と、外ケース２の下降スライドを規制し、あるいは規制解除する捺印ロック構造などを備えている。本実施形態における第１弾性体４１は、２本の圧縮コイル形のばね（第１ばね４１ａ・４１ａ）からなり、第２弾性体４２は、１本の圧縮コイル形のばね（第２ばね４２ａ）からなる。
【００２１】
図５に示すように内ケース１は、上下面が開口する小判形断面の筒ケースからなり、その前面下部にインク塗付ユニット５用の出退口７が開口され、後面の上部に内窓８が開口されている。出退口７の上側には、左右一対の四角形状のパッド支持枠９が突設されており、両支持枠９より上側の平坦壁の中央に、後述するスライドピース５４を上下スライド自在に案内するガイド枠１０と溝が形成されている。一対のパッド支持枠９の対向面には、インク塗付ユニット５を案内支持するガイド溝１１が形成されている。また、内ケース１の円弧壁の後寄りの左右には一対のガイドリブ１２が形成され、円弧壁の内面上部には左右一対のロック片１３が形成されている。
【００２２】
図７において外ケース２は、下面が開口する小判形断面の筒ケースからなり、その天壁１６の中央に筒ボス１７が上向きに突設されている。外ケース２の前端壁にはガイド壁１８が凹み形成されており、外ケース２の後端壁の上部寄りには外窓１９が開設されている。外ケース２を内ケース１に上方から外嵌し、ケース内面に形成したガイド溝２０（図９参照）を先のガイドリブ１２で案内することにより、外ケース２は内ケース１で上下スライド可能に案内支持される。
【００２３】
図６に示すように印字ユニット３は、フレーム２３で支持される５個の調整ダイヤル２４およびブリッジ２５と、調整ダイヤル２４とブリッジ２５に巻掛けられる印字ベルト２６と、フレーム２３の上部に組まれる高さ調整構造と、印面台２７などを備えている。印字ベルト２６の周面には、年号と、月、日を印字する印字ブロックが一定間隔おきに形成されている。印面台２７は上下に開口する丸皿状のプラスチック成形品からなり、その下面側にゴム製の固定印字体２８が固定されている。固定印字体２８の前後中央には、印字ブロック用の出退口２９が開口されており、同口２９の前後に領収、検品、捺印者名などの固定印字面が形成されている。印面台２７の左右には断面がコ字状の縦長のスライド枠３０が形成されている。
【００２４】
印字ケース４は、断面の基本形状が四角形状に形成されており、その前後壁の上部に調整ダイヤル２４を露出させるためのダイヤル溝３２が形成され、前側のダイヤル溝３２の下側に、ガイド壁１８の後側に突設したスライド壁３３を案内する断面コ字形の一対のガイド枠３４が形成されている（図６・図９参照）。印字ケース４の左右壁の過半上部にはＵ字状の溝３５が切欠き形成されており、同溝３５の前側左右に断面がＵ字状のばね受枠３６が設けられている。さらに、溝３５の後側左右にダイヤルカバー３７を上下スライド自在に案内支持するガイド縦枠３８が突設され、ガイド縦枠３８より前側に印面台２７のスライド枠３０用の縦ガイドリブ３９が設けられている（図９参照）。
【００２５】
印字ユニット３を印字ケース４に上方から装着し、印面台２７を印字ケース４に下方から装着して、そのスライド枠３０を縦ガイドリブ３９で上下スライド可能にスライド案内し、さらにダイヤルカバー３７を後側からガイド縦枠３８に係合することにより、印字ユニット３と印字ケース４を一体化することができる。ダイヤルカバー３７は、図３に示すように調整ダイヤル２４の外面を覆って、外窓１９の内面を塞ぐ上方の閉止位置と、図１２に示すように内窓８および外窓１９を開放して、調整ダイヤル２４を露出させる下方の開放位置の間を上下スライドできる。ダイヤルカバー３７の上下スライドに連動して印面台２７を上下スライドさせるために、印面台２７およびダイヤルカバー３７を印字ケース４に組付けた状態において、スライド枠３０の係合突起３０ａをダイヤルカバー３７の係合凹部３７ａに係合させて、スライド枠３０とダイヤルカバー３７を同行移動可能に連結している（図１２参照）。つまり、閉止位置におけるダイヤルカバー３７と、捺印位置における印面台２７のスライド枠３０を同行スライド可能に係合連結している。これにより、印面台２７は印字ベルト２６の下端が出退口２９に臨む使用姿勢（図３に示す状態）と、印面台２７が印字ケース４の下方に下降移動した日付調整姿勢（図１２に示す状態）の間で上下スライドできる。
【００２６】
印字ユニット３が組まれた印字ケース４のばね受枠３６に一対の第１ばね４１ａ・４１ａを装着した状態で、印字ケース４を内ケース１に上方から組み、これら第１ばね４１ａを圧縮変形させながらばね受枠３６の下部を内ケース１の内面の下ばね受座４３に外嵌装着する。さらに、これら第１ばね４１ａの弾性力に抗して印字ケース４を押下げ操作すると、ばね受枠３６の下端のストッパー片４５（図６・図７参照）が下ばね受座４３を乗り越えて、その下面で受止められるので、印字ケース４を内ケース１に対して上下スライドは可能に、しかし分離不能に連結することができる。第１ばね４１ａの上端は、ばね受枠３６の上端の上ばね受座４４で受止められている。この状態の高さ調整構造の上部に第２ばね４２ａを装着し、外ケース２を内ケース１に上方から装着して、先に説明したガイド壁１８側のスライド壁３３をガイド枠３４で案内することにより、外ケース２を内ケース１に仮組みすることができる。以上のように、印字ケース４は内ケース１で第１ばね４１ａを介して支持され、外ケース２は印字ケース４で第２ばね４２ａを介して支持されている。第１ばね４１ａと第２ばね４２ａは、それぞれ圧縮コイルばねで形成されている。
【００２７】
図５においてインク塗付ユニット５は、丸皿状のパッドホルダー５１と、同ホルダー５１に収容されるインクパッド５２と、パッドホルダー５１の前部に設けられる左右一対の支持腕５３と、内ケース１のガイド枠１０で上下スライド自在に案内されるスライドピース５４とを備えている。左右の支持腕５３の外側面には揺動軸５５が突設されており、各支持腕５３の後面下部には姿勢変位機構を構成する受動カム片５６が形成されている。スライドピース５４は四角形状のプラスチック成形品からなり、その左右にスライド溝５７が形成され、スライドピース５４の下端前部に連結ボス５８が一体に形成されている。支持腕５３と連結ボス５８は、一対の支持腕５３で支持される連結ピン５９を介して相対回動可能に連結される。この状態のスライドピース５４のスライド溝５７をガイド枠１０に係合し、さらに揺動軸５５をパッド支持枠９のガイド溝１１に嵌込むことにより、インク塗付ユニット５を内ケース１と一体化できる。パッドホルダー５１の下面には、インク補充口５１ａを前後にスライド開閉するカバー５１ｂが設けられている。
【００２８】
図１に示すようにガイド溝１１は、パッドホルダー５１がインク塗付姿勢から分離位置まで下降移動するのを許す縦溝６２と、パッドホルダー５１が連結ピン５９を中心にして分離位置から退避揺動するのを許す円弧溝６３と、揺動軸５５のガイド溝１１に対する組付けを容易化する組付溝６４（図４参照）とを備えている。内ケース１で支持されたインク塗付ユニット５を、インク塗付姿勢（捺印待機姿勢）から分離位置まで下降操作し、さらに分離位置と退避姿勢の間で揺動操作するために、支持腕５３と外ケース２の間に姿勢変位機構が設けられている。
【００２９】
図１・図４において姿勢変位機構は、左右の支持腕５３に設けた受動カム片５６と、外ケース２のガイド壁１８の下部に設けた左右の駆動カム片６６と、退避姿勢に切換ったパッドホルダー５１の支持腕５３を復帰回動不能に支持する保持壁６７などで構成される。受動カム片５６の上側には、駆動カム片６６を受入れるカム凹部６８が、駆動カム片６６の下側には、受動カム片５６を受入れるカム凹部６９が、それぞれ形成されている。また、受動カム片５６の下方には支持腕５３を復帰回動操作する復帰カム片７０が設けられている。インク塗付ユニット５がインク塗付姿勢に切換った状態では、支持腕５３の下部の段部７１が復帰カム片７０を受止めることで、外ケース２を第１ばね４１ａおよび第２ばね４２ａの押上げ力に抗して捺印待機姿勢に位置保持している。つまり、支持腕５３の段部７１は、外ケース２の上方への抜出しを防ぐストッパーを兼ねている。駆動カム片６６の上側には、支持腕５３の突端面を揺動操作する終段カム片７２が形成されている。
【００３０】
捺印時の外ケース２の下降移動に同行して、インク塗付ユニット５のみを下降移動させるために、並列的に配された２本の第１ばね４１ａ・４１ａの合計の弾性力を、第２ばね４２ａの弾性力より大きく設定している。
【００３１】
図１０および図１１において高さ調整機構は、印字ユニット３のフレーム２３の上端に係合装着されるねじボス７４と、同ボス７４にねじ込まれる調整ねじ体７５と、外ケース２の天壁１６で支持されるばね受台７６とを備えている。ねじボス７４の下端には、印字ケース４の上部内面に係合する連結枠７７が張り出し形成されており、同枠７７の左右に設けた弾性係合爪７８をフレーム２３の連結溝７９に係合することにより、ねじボス７４を印字ユニット３および印字ケース４と一体化できる。調整ねじ体７５の上部には円形の操作頭部８０が設けられており、同頭部８０に一文字状の操作溝８１が形成されている。ばね受台７６は、ねじボス７４を外面から支持する筒ボス部８２と、同ボス８２の下端から前後左右に張出されて、印字ケース４の上部外面に係合するケース支持枠８３と、筒ボス部８２の左右周面に突設されるストッパー爪８４とを一体に備えている。
【００３２】
先に説明した操作頭部８０の下面は、図１１に示すようにばね受台７６の筒ボス部８２の内面に回転のみ可能に係合している。従って、調整ねじ体７５を回転操作すると、印字ユニット３が上昇移動し、または下降移動するので、印字ベルト２６と固定印字体２８の印面の高さを調整することができる。捺印待機状態におけるストッパー爪８４は、外ケース２の天壁１６で受止められている。高さ調整機構が組まれた印字ユニット３を印字ケース４に装着した状態では、ケース支持枠８３の前後に設けた係合突起８３ａ（図６参照）が、印字ケース４の前後壁の係合孔４ａと係合している。
【００３３】
図７において捺印ロック構造は、外ケース２の筒ボス１７の周囲に組み付けられるロック体８７と、ロック体８７をロック姿勢とロック解除姿勢に切換える操作キャップ８８と、内ケース１の上端内面に設けたロック片１３とで構成する。ロック体８７は、外ケース２の筒ボス１７に外嵌装着される平面視がＣ字状のリング部８９と、リング部８９の左右周面に形成される縦長のロック軸９０とを一体に備えている。ロック軸９０を外ケース２の天壁１６に形成した切換え溝９１からケース内部に差し込みながら、リング部８９を筒ボス１７に外嵌装着することにより、ロック体８７を外ケース２に組むことができる。操作キャップ８８の内面には外ケース２の筒ボス１７に外嵌する内壁９２（図３参照）が設けられており、キャップ周壁と内壁９２の間の左右２個所に、ロック軸９０の上端の受動軸９３と係合する操作凹部９４（図８参照）が形成されている。また、ロック軸９０の上端寄りには、ロック片１３と係合して外ケース２を捺印姿勢（印面調整姿勢）に保持する係合溝９５が形成されている。
【００３４】
捺印ロック構造がロック解除姿勢に切換えられた状態では、図９に示すように、ロック軸９０の下端がロック片１３の周方向横側に位置ずれしているので、外ケース２はロック片１３に邪魔されることもなく、自由に昇降移動できる。また、捺印ロック構造がロック姿勢に切換えられた状態では、ロック軸９０の下端がロック片１３の真上に位置するので、外ケース２を押下げ操作しても、ロック軸９０の下端がロック片１３で受止められるため、外ケース２を押下げることはできない。さらに、捺印ロック構造をロック解除姿勢に切換えて、図１２に示すように外ケース２を捺印姿勢まで押下操作した状態で、捺印ロック構造をロック姿勢に切換えると、図１３に示すようにロック軸９０の係合溝９５がロック片１３に係合するので、外ケース２を捺印姿勢に位置保持できる。この状態で、ダイヤルカバー３７を押下げ操作して内窓８および外窓１９を開放することにより、調整ダイヤル２４を内窓８の内方に露出させることができ、同時に印面台２７がダイヤルカバー３７の下降移動に同行して印字ベルト２６の下方へ退避するので、各調整ダイヤル２４を回転操作して日付調整を行うことができる。
【００３５】
外ケース２が捺印待機姿勢から分離位置まで下降移動し、さらにインク塗付ユニット５が印字ユニット３の下降領域から前方外面の退避姿勢へ向かって揺動する際の姿勢変位機構の動作を以下に説明する。外ケース２が捺印待機姿勢に或るときは、図３・図４・図１４（ａ）に示すようにインク塗付ユニット５のインクパッド５２は、印字ベルト２６および固定印字体２８に密着している。この状態から外ケース２が下降移動し始めると、同ケース２のガイド壁１８に設けた駆動カム片６６が、図１４（ｂ）に示すように受動カム片５６を押下げ操作するので、パッドホルダー５１とスライドピース５４は、外ケース２と共にガイド溝１１の縦溝６２に沿って分離位置まで下降移動し、揺動軸５５の下端が円弧溝６３の上端で受止められる。このときのパッドホルダー５１の下降距離Ｃを図１に示している。
【００３６】
引続き外ケース２を下降操作すると、図１４（ｃ）に示すように駆動カム片６６が受動カム片５６を連結ピン５９の回りに回動させるため、インク塗付ユニット５の全体を分離位置から退避姿勢へ向かって、出退口７の外へ向かって揺動させることができる。しかし、分離位置においては揺動軸５５の下端が円弧溝６３で受止められ、支持腕５３が揺動変位しても連結ピン５９の上下位置に変化がないため、スライドピース５４が分離位置から下方へ下降することはなく、分離位置に留まった状態で連結ピン５９を支持している。図１４（ｃ）から図１４（ｄ）に示すようにインク塗付ユニット５が、インク塗付姿勢から退避姿勢まで揺動する過程では、駆動カム片６６が受動カム片５６を押下げ操作し終わったのち、支持腕５３の突端面が終段カム片７２で揺動操作されて退避姿勢に切換わる。インク塗付ユニット５が退避姿勢に切換った状態では、支持腕５３の突端面がガイド壁１８の保持壁６７で受止められるので、それ以上インク塗付ユニット５が揺動することはなく、図１４（ｅ）に示すように外ケース２のみが下向きにスライドして、印字ユニット３の印面を紙面に捺印することができる。
【００３７】
印字ユニット３による捺印が終わった状態で、外ケース２の押下げ力を開放すると、外ケース２が第１ばね４１ａの弾性力を受けて上昇スライドしながら、捺印待機姿勢に復帰する。その過程では、駆動カム片６６がカム凹部６８と係合し、支持腕５３を連結ピン５９の周りに反時計方向へ揺動操作して、インク塗付ユニット５をインク塗付姿勢に向かって揺動させる。さらに復帰カム片７０が段部７１に接当して、インク塗付ユニット５を強制的にインク塗付姿勢に戻す。なお第２ばね４２ａは、ばね受枠３６のストッパー片４５が下ばね受座４３の下面で受止められたのちに伸長変形して、印字ユニット３を塗付待機姿勢に位置保持する。
【００３８】
以上のように、実施例１に係る印判では、第１ばね４１ａおよび第２ばね４２ａを圧縮コイルばねで形成するので、従来の板ばねからなる内筒係止体に比べて、設定されたばね力を長期にわたって安定した状態で発揮できる。各ばね４１ａ・４２ａの弾性力も小さくできる。また、２本の第１ばね４１ａを合計した弾性力を第２ばね４２ａの弾性力よりも大きく設定したので、インク塗付ユニット５が外ケース２に同行して分離位置まで下降移動する間、下降移動しようとする印字ユニット３を弾性力の大きな第１ばね４１ａで受止めて、同ユニット３が下降移動するのを確実に防止できる。
【００３９】
インク塗付ユニット５が分離位置まで下降移動した状態では、外ケース２が印字ケース４に接当し、以後は印字ユニット３および印字ケース４を外ケース２に同行して下降移動させることができるので、印字ユニット３および印字ケース４が下降移動するタイミングを常に一定にできる。また、印字ケース４および印字ユニット３が分離位置から下降移動するのと同時に、姿勢変位機構がインク塗付ユニット５を退避姿勢に向って確動的に揺動操作するので、インク塗付ユニット５を適切なタイミングで確実に退避揺動させることができる。
【００４０】
印字ケース４の周面に設けたばね受枠３６と、内ケース１に設けた下ばね受座４３との間に第１ばね４１ａを配置し、さらに、ばね受枠３６を下ばね受座４３に対して上下スライド自在に外嵌装着し、ばね受枠３６の下部に設けたストッパー片４５を下ばね受座４３で受止めて、印字ケース４を第１ばね４１ａの弾性力に抗して捺印待機姿勢に保持できるようにしたので、第１ばね４１ａの組付けに連動して、ストッパー片４５を下ばね受座４３に係合装着することが可能となり、印字ケース４および第１ばね４１ａの内ケース１に対する組立ての手間を大幅に軽減できる。また、常にばね受枠３６が下ばね受座４３と係合する状態で印字ケース４を上下スライドできるので、印字ケース４が前後左右に揺れ動くのを規制して、印字ユニット３による捺印を的確に行うことができる。
【００４１】
インク塗付ユニット５は、インクパッド５２を収容するパッドホルダー５１と、左右一対の支持腕５３と、スライドピース５４を備えるようにし、パッドホルダー５１とスライドピース５４は、支持腕５３で支持される連結ピン５９を介して相対回動可能に、かつ同行して昇降移動可能に連結するようにした。さらに、支持腕５３の外側面に設けた揺動軸５５を、内ケース１に設けたパッド支持枠９のガイド溝１１で案内支持するようにした。こうした印判によれば、パッドホルダー５１とスライドピース５４を姿勢変位機構で捺印待機姿勢（塗付姿勢）から分離位置まで下降操作したのち、パッドホルダー５１を姿勢変位機構で連結ピン５９の回りに揺動操作して、分離位置から退避姿勢に切換ることができる。
【００４２】
上記のように、パッドホルダー５１が揺動変位する状態では、スライドピース５４は分離位置を保持して連結ピン５９を支持しており、さらに揺動軸５５がガイド溝１１に沿って連結ピン５９の回りに揺動するので、パッドホルダー５１を常に安定した状態で揺動変位させることができる。また、スライドピース５４は塗付姿勢と分離位置の間を昇降移動するだけであるので、パッドホルダー５１が退避姿勢に向って揺動し始めるときの連結ピン５９の位置に狂いがなく、常に一定の軌跡でパッドホルダー５１を揺動変位させることができる。さらに、分離位置まで下降移動したスライドピース５４で、パッドホルダー５１を連結ピン５９の回りに揺動可能に支持するので、パッドホルダー５１の揺動半径を小さくできる。
【００４３】
姿勢変位機構を、支持腕５３に設けた受動カム片５６と、外ケース２に設けた駆動カム片６６および保持壁６７を備えるものとしたので、外ケース２が下降操作されるとき、受動カム片５６を駆動カム片６６で下降操作したのち、同カム片５６を駆動カム片６６で回動操作して、退避姿勢に切換ったパッドホルダー５１の支持腕５３を保持壁６７で復帰回動不能に支持できる。そのため、パッドホルダー５１が退避姿勢に切換って、印字ユニット３が捺印紙面に押圧されるまでの間、パッドホルダー５１がぐら付くことがなく、印字ユニット３による捺印を的確に行うことができる。
【００４４】
印字ケース４の背面に調整ダイヤル２４の外面を覆うダイヤルカバー３７を上下スライド可能に設けて、同カバー３７が調整ダイヤル２４の外面を覆う上方の閉止位置と、調整ダイヤル２４を露出させる下方の開放位置の間を上下スライドできるようにし、印面台２７に設けた一対のスライド枠３０を、印字ケース４に設けた縦ガイドリブ３９で上下スライド自在に案内支持して、印面台２７が印字ベルト２６の下方の調整位置と、印面台２７が印字ベルト２６と交差する捺印位置の間を上下スライドできるようにし、そのうえで、ダイヤルカバー３７とスライド枠３０を、同行スライド可能に係合連結するようにしたので、ダイヤルカバー３７をスライド開閉操作することで、印面台２７を調整位置と捺印位置の間で同時に移動操作することができるので、印字ベルト２６の日付変更作業を簡便に行うことが可能となる。また、常態においては調整ダイヤル２４の外面をダイヤルカバー３７で覆い隠すことができるので、捺印時に指先が調整ダイヤル２４や印字ベルト２６に接触して、印字ベルト２６の印面がずれ動くのを確実に防止できる。また、塵埃が印字ベルト２６に付着するのを解消できるうえ、印判の外観上の印象を向上することができる。
【００４５】
本発明の印判は、日付印以外に検査済印や受領印などにも適用できる。第１ばね４１ａおよび第２ばね４２ａは、ばね鋼製のコイルばね以外に非鉄金属製のコイルばねや、高分子材製のコイルばね等であってもよい。
【符号の説明】
【００４６】
１  内ケース
２  外ケース
３  印字ユニット
４  印字ケース
５  インク塗付ユニット
９  パッド支持枠
１０  ガイド枠
１１  ガイド溝
２４  調整ダイヤル
２６  印字ベルト
２７  印面台
３６  ばね受枠
４１  第１弾性体
４１ａ  第１ばね
４２  第２弾性体
４２ａ  第２ばね
４３  下ばね受座
４４  上ばね受座
４５  ストッパー片
５１  パッドホルダー
５２  インクパッド
５３  支持腕
５４  スライドピース
５５  揺動軸
５６  受動カム片
５９  連結ピン
６６  駆動カム片
６７  保持壁
【図１】
2020192736.tif 000003
【図２】
2020192736.tif 000004
【図３】
2020192736.tif 000005
【図４】
2020192736.tif 000006
【図５】
2020192736.tif 000007
【図６】
2020192736.tif 000008
【図７】
2020192736.tif 000009
【図８】
2020192736.tif 000010
【図９】
2020192736.tif 000011
【図１０】
2020192736.tif 000012
【図１１】
2020192736.tif 000013
【図１２】
2020192736.tif 000014
【図１３】
2020192736.tif 000015
【図１４】
2020192736.tif 000016